【事件の表示】
　平成３年特許願第１２３２９号「景品処理装置」拒絶査定に対する審判事件［平成４年９月９日出願公開、特開平４−２５３８８１］について、次のとおり審決する。
【結　論】
　本件審判の請求は、成り立たない。
【理　由】
１．手続の経緯、本願発明
　本願は、平成３年２月２日の出願であって、その請求項１、２、３に係る発明は、平成１３年５月１４日付け手続き補正書により補正された明細書及び図面の記載からみて、その特許請求の範囲の請求項１、２、３に記載された事項により特定されるとおりのものであるところ、請求項１に係る発明は、次のとおりである。（以下、「本願発明」という。）
「【請求項１】　遊技者が遊技機により遊技を行なった結果その遊技者に付与される価値物体を用いて景品交換を行なう際に使用される景品処理装置であって、
　前記遊技者に付与された価値物体を計数して該価値物体が有する付与有価価値の大きさを算出する算出手段と、
　所定の会員としての遊技者に発行され、有価価値を特定可能な記録情報が記録された会員用記録媒体の記録情報により特定される有価価値に対し、前記算出手段によって算出された付与有価価値を加算するための有価価値加算手段と、
　前記価値物体の計数値に対応する特殊景品を払出す特殊景品払出手段とを備え、
　前記有価価値加算手段を用いて価値物体の計数値に対応する前記付与有価価値を加算する機能と、前記特殊景品払出手段を用いて前記価値物体の計数値に対応する特殊景品を払出す機能とのうちのいずれを用いて前記価値物体を処理するかを該価値物体の処理毎に選択可能に構成されていることを特徴とする、景品処理装置。」
２．引用例に記載された発明
　これに対して、原査定の拒絶の理由で引用された特開昭６３−２７７０７６号公報には、
　Ａ「玉計数器６は、パチンコホール内の景品交換カウンタ上に設置されるもので．．．本体ケース２４の前面部には、パチンコ玉の計数値をデジタル表示する計数値表示部２７、上記計数値により交換可能な特定景品の個数をデジタル表示する交換個数表示部２８，余りパチンコ玉数をデジタル表示する余り玉数表示部２９、データ書込みスイッチ３０及び会員カード２が挿入されるカード挿入口３１が夫々設けられていると共に、側面部にはリセットスイッチ３２が設けられている。３３は本体ケース２４内に設けられた計数器で、これは玉受容器２５内に投入されたパチンコ玉を計数してその計数結果を示す数値信号を出力する。」（公報第６頁左上欄７行〜右上欄５行）
　Ｂ「集計装置３は、上記のように玉計数器６からデータ信号Ｓ４ が与えられたときには、記憶回路８に対して、上記データ信号Ｓ４により示されるパチンコ玉数（遊技客が獲得したパチンコ玉数）をデータ信号Ｓ４により特定される識別番号に対応させて記憶する。そして、このようなパチンコ玉数の記憶は、各識別コード毎に累算されるようになっており、結果的に、記憶回路８には、遊技客が複数回に渡って獲得したパチンコ玉数の合計値を、その遊技客が所持する会員カード２毎に記憶させることができる。また、集計装置３は、玉計数器６からデータ信号Ｓ５ が与えられたときには、記憶回路８に対して、上記データ信号Ｓ５により示される景品払出し価格をデータ信号Ｓ４により特定される識別番号に対応させて記憶する。このような景品払出し価額の記憶も．．．結果的に、複数回に渡る景品払出価額を各識別コード毎に記憶させることができる。」（公報第７頁左上欄８行〜右上欄６行）
　Ｃ「第８図において、３４は会員カード２を挿入するためのカード挿入口、３５は挿入された会員カード２の残高金額Ｚを表示するための残高表示部、３６は上記会員カード２による獲得パチンコ玉数を表示するための獲得玉数表示部である。また、３７は精算ボタン．．．４１は受け皿であり、これには精算機７内から後述するようなレシート４２が送出されるようになっている。」（公報第７頁右上欄１２行〜左下欄４行）            
　Ｄ「会員カード２を挿入状態に保持し（ステップＤ７）、会員カード２の記憶残高金額Ｚを残高表示部３４に表示させると共に、その会員カード２による獲得パチンコ玉数を獲得玉数表示部３６に表示させる（ステップＤ８、Ｄ９）。そして、斯様に残高表示部３５及び獲得玉数表示部３６が表示動作を行なっている状態では、精算ボタン３７及びカード返却ボタン３９が押圧操作されたか否かが判断されるものであり（ステップＤ１０，Ｄ１１）、カード返却ボタン３９が押圧操作されたときには、会員カード２を返却する．．．カード返却ボタン３９が押圧操作されることなく精算ボタン３７が押圧操作されたときには、前記読み込みデータ並びに集計装置３内の記憶回路８の記憶データに基づいて、精算機７内の図示しないプリンタを動作させ、当該会員カード２による獲得パチンコ玉数、当日の日付等を印字したレシート４２を作成し、そのレシート４２を受け皿４１に送り出す（ステップＤ１２）。．．．レシート４２の印字内容に基づいて、所定量の景品を払出すものである。」（公報第７頁右下欄１８行〜第８頁右上欄７行）
　Ｅ「このとき、遊技により獲得したパチンコ玉（賞球）を景品と交換する際には、そのパチンコ玉を玉計数器６に投入すると共に、その玉計数器６のカード挿入口３１に会員カード２を挿入する。すると、玉計数器６が有する各表示部２７〜２９に所定の表示が行なわれるから、この表示に基づいて景品の払出しを受ける。尚、この場合には．．．遊技により獲得したパチンコ玉を景品と交換せずに会員カード２に記憶しておく場合には、そのパチンコ玉を玉計数器６に投入すると共に、その玉計数器６のカード挿入口３１に会員カード２を挿入する。この状態でも上述のような表示が行なわれるから、この表示を確認した上でデータ書込みスイッチ３０をオン操作する。すると、上記獲得パチンコ玉数のデータが会員カード２に書込まれるようになる（既に書込まれた獲得パチンコ玉数データがある場合には、そのデータに加算して書込まれる）．．．会員カード２に書き込まれた獲得パチンコ玉にて景品交換を行うときには、会員カード２を精算機７のカード挿入口３４に挿入して、景品の払出しを受けるものであり、この後には会員カード２の返却も受ける。」（公報第９頁左上欄４行〜右上欄９行）
　Ｆ「金額情報を記憶するための記憶手段として、集計装置３内の記憶回路８を用いるようにしたが、これに代えて会員カード２が有する記録媒体を記憶手段として利用し、上記金額情報を会員カード２に直接記憶させる構成としても良いものである。」（公報第９頁左下欄１３行〜１８行）との記載、及び第１〜９図の記載からみて、
　引用例には、「遊技客がパチンコゲーム機２０により遊技を行なった結果その遊技客が獲得したパチンコ玉或いは遊技用メダルを景品と交換するときに使用される計数装置（玉計算器）６であって、
　遊技客が獲得したパチンコ玉或いは遊技用メダルを計数する計数器３３と、パチンコホールの遊技客に発行され、遊技客が複数回に渡って獲得したパチンコ玉数の合計値を記憶させることができる会員カード２に獲得したパチンコ玉を記憶させておく場合には、そのパチンコ玉を玉計数器６に投入すると共に、その玉計数器６のカード挿入口３１に会員カード２を挿入した上でデータ書込みスイッチ３０をオン操作し、遊技により獲得したパチンコ玉（賞球）を景品と交換する際には、そのパチンコ玉を玉計数器６に投入すると共に、その玉計数器６のカード挿入口３１に会員カード２を挿入し、玉計数器６が有する各表示部２７（パチンコ玉の計数値を表示する計数値表示部）、２８（交換可能な特定景品の個数をデジタル表示する交換個数表示部）、２９（余り玉数表示部）の表示に基づいて景品の払出を受ける計数装置（玉計数器）６」が記載されているものと認められる。（以下、「引用発明」という。）
　同じく原査定の拒絶の理由で引用された実願昭６１−８００６７号（実開昭６２−１９２７７１号）のマイクロフィルムには、パチンコホールの遊技客に対して１人宛１枚発行され少なくとも夫々に独自の識別コードを記憶された記憶媒体を有する会員カードと、パチンコホール内に設けられ遊技客が景品との交換のために持参したパチンコ玉或いは遊技用メタルの価格を計算する機能を会員カードが挿入された状態時のみ有効化し、計数した計数価格に対応した景品を払い出す計数装置が記載されている。
　同じく原査定の拒絶の理由で引用された特開平３−６８３８５号公報には、パチンコ店に設置される入力された利用者情報に基づきシステムセンタに利用者登録要求を行い、利用者の口座番号を書込んだメンバーカードを発行する機能と、利用者の出玉を計算しシステムセンタへ出玉積立要求を行う機能を備えた操作端末装置と、パチンコ玉と景品の交換を行う加盟店に設置される景品交換端末装置と、操作端末からの出玉積立要求に基づき利用者の口座に出玉の積立を行う機能を備えるシステムセンタからなるパチンコ景品交換システムが記載されている。
　同じく原査定の拒絶の理由で引用された特開平２−２２４６９０号公報には、遊技者が景品として獲得した遊技媒体の数を景品遊技媒体精算機においてカードに記憶し、該カードを利用して販売店で商品を購入することができる共通カード式景品交換機構において、景品遊技媒体精算機に、獲得遊技媒体計数手段と、余り遊技媒体計数手段と、余り遊技媒体返却手段と、カード発行手段と、カード記録手段とを設けた点が記載されている。
　同じく原査定の拒絶の理由で引用された特開平２−１７７９８７号公報には、遊技客が獲得したゲーム用品数を示す数値情報に基づいて景品の払い出しを行う景品交換装置を設け、景品交換装置による遊技客への景品払出し時に生ずる余りゲーム用品数をデータ書込手段によって、当該遊技客の遊技券に追加数値情報として記憶させるか端玉用景品と交換するか選べるようにした点が記載されている。
３．対比
　引用発明の「遊技客」、「パチンコゲーム機」、「パチンコ玉或いは遊技用メダル」、「計数装置６」、「計数器３３」、「会員カード２」、「遊技により獲得したパチンコ玉（賞球）」、「特定景品」、は、その機能に照らし、それぞれ、
　本願発明の「遊技者」、「遊技機」、「価値物体」、「景品処理装置」、「算出手段」、「会員用記録媒体（景品カード）」、「付与有価価値」、「特殊景品」、に相当するものと認められ、     
　引用発明の「既に書込まれた獲得パチンコ玉数データがある場合には、そのデータに加算して書込まれる」（前記Ｅ）という記載により、引用発明が「有価価値加算手段」を備えていること、「本体ケース２４の前面部には、パチンコ玉の計数値をデジタル表示する計数値表示部２７、上記計数値により交換可能な特定景品の個数をデジタル表示する交換個数表示部２８，余りパチンコ玉数をデジタル表示する余り玉数表示部２９．．．が夫々設けられている」（前記Ａ）及び「玉計数器６が有する各表示部２７〜２９に所定の表示が行なわれるから、この表示に基づいて景品の払出しを受ける。」（前記Ｅ）という記載により、引用発明においても「特殊景品」の払出は行われており、また、引用発明は、パチンコ玉を玉計数機６に投入すると共に会員カード２を挿入し、表示部２７〜２９に計数値、特定景品交換個数、余り玉数が表示された後で、１）特定景品の払い出しを受けるか、２）データ書込スイッチ３０をオン操作して、獲得パチンコ玉数のデータを会員カードに書き込むかしており、上記１）特定景品の払出、２）有価価値加算が処理毎に選択可能に構成されているといえるから、
　両者は、
「遊技者が遊技機により遊技を行なった結果その遊技者に付与される価値物体を用いて景品交換を行なう際に使用される景品処理装置であって、
　前記遊技者に付与された価値物体を計数して該価値物体が有する付与有価価値の大きさを算出する算出手段と、
　所定の会員としての遊技者に発行され、有価価値を特定可能な記録情報が記録された会員用記録媒体の記録情報により特定される有価価値に対し、前記算出手段によって算出された付与有価価値を加算するための有価価値加算手段と、有価価値加算手段を用いて価値物体の計数値に対応する前記付与有価価値を加算するか
　前記価値物体の計数値に対応する特殊景品を払出すかを該価値物体の処理毎に選択可能に構成されていることを特徴とする、景品処理装置。」である点において一致し、
　本件発明では、景品処理装置が価値物体の計数値に対応する特殊景品を実際に払い出す特殊景品払出手段を備えているのに対し、引用発明では、価値物体の計数値に対応する特殊景品を払い出す旨は記載されているが実際の景品を払い出すか否か不明である点で相違する。
４．当審の判断
　上記相違点について検討する。
　算出手段と、価値物体の計数値に対応する特殊景品を実際に払い出す特殊景品払出手段を備えた景品処理装置は従来から周知であるから（例えば、特開平１−１２６９９０号公報．．．玉計数機部３０にパチンコ玉Ｂを投入し所定の計数を行った後、この計数値に見合った景品Ａ（特定景品）を繰出す、実願昭６３−７１４３９号（実開平１−１７６４８８号）のマイクロフィルム．．．玉計数装置を設置した景品交換装置）、引用発明の有価価値加算手段を備えた景品処理装置（玉計数器）に特殊景品の払出し用に特殊景品払出手段を備えることは当業者が容易に想到できるものと認められ、明細書に記載された本願発明の効果も、引用例に記載された発明及び上記周知技術から予測できる程度のことであって格別のものではない。
５．むすび
　したがって、本願発明は、上記引用発明及び上記周知の技術に基いて当業者が容易に発明をすることができたものであるから、特許法第２９条第２項の規定により特許を受けることができない。
　よって、結論のとおり審決する。